(57)【要約】【課題】ダンプトラックやブームの短いクレーン等の建設機械が近づけない被災個所でも迅速かつ安全、確実に応急復旧用資材を投入できるようにする。【解決手段】上方を開放した有底の箱形で、かつこれの周壁３の一部を開放した本体１と、本体の周壁の上部で、かつ周壁の開放部と対向する奥側と、開放部近くの両側とに固着した少なくとも３個の吊金具５ａ，５ｂ，５ｂと、各吊金具に連結されたワイヤロープ６ａ，６ｂ，６ｂとからなる構成にした。【選択図】図１
0003139525.tif 000002
【実用新案登録請求の範囲】
【請求項１】
上方を開放した有底の箱形で、かつこれの周壁の一部を開放した本体と、
本体の周壁の上部で、かつ周壁の開放部と対向する奥側と、開放部近くの両側とに固着した少なくとも３個の吊金具と、
各吊金具に連結されたワイヤロープとからなることを特徴とする堤防・護岸の応急復旧用資材の投入器具。
【考案の詳細な説明】
【技術分野】
【０００１】
本考案は、災害にて決壊したり破損した堤防や護岸の被災部分に応急復旧資材を投入する投入器具に関するものである。
【背景技術】
【０００２】
台風や豪雨によって河川や海岸の堤防や護岸が決壊したり破損した場合、この被災部分にコンクリートブロックや、内部に石材または砂を充填した鉄線カゴや袋詰材を応急復旧資材として投入し、これ以上の被害の拡大を防ぐ必要がある。
【０００３】
従来のこの種の応急復旧工事では、一般にダンプトラックやクレーン等の建設機械が用いられており、例えばダンプトラックでは上記被災地近くまで走行してベッセルに積んだ応急復旧資材を被災個所に一気に投入し、またクレーンでは上記資材を充填した鉄線カゴや袋詰材をブームにて吊り下げ設置するようにしている。
【考案の開示】
【考案が解決しようとする課題】
【０００４】
上記復旧工事において、復旧資材をダンプトラックで運搬できる場合には、これのベッセルに搭載した大量の復旧資材を被災個所に一気に投入することができ極めて有効であるが、被災個所によっては被災個所までダンプトラックが近づくことができない場合が多く、このダンプトラックを使用できる現場は多くなかった。
【０００５】
一方、クレーンを用いる場合には、これのブームを長くして、被災個所から数十メートル離れた位置で、上記鉄線カゴや袋詰材を所定の個所にワイヤロープにて吊り下げ設置することができるが、この場合ワイヤロープの一端にフックを取り付けて外しやすくしていても、上記鉄線カゴや袋詰材にあっては自らこれを上記フックから外すための機能を備えていないため、これをフックから外すための作業員を上記設置個所に配置しなければならず、作業員の安全性に極めて大きな問題があった。
【０００６】
本考案は上記のことに鑑みなされたもので、ダンプトラックが近くまでいけない被災個所であっても、長いブームを用いたクレーンにて、あるいはヘリコプターにて投入個所に作業員を配置することなく、安全に応急復旧資材を繰り返し投入できるようにした堤防・護岸の応急復旧資材の投入器具を提供することを目的とするものである。
【課題を解決するための手段】
【０００７】
上記目的を達成するために、本考案に係る堤防・護岸の応急復旧資材の投入器具は、上方を開放した有底の箱形で、かつこれの周壁の一部を開放した本体と、本体の周壁の上部で、かつ周壁の開放部と対向する奥側と、開放部近くの両側とに固着した少なくとも３個の吊金具と、各吊金具に連結されたワイヤロープとからなる構成になっている。
【考案の効果】
【０００８】
上記構成の投入器具によれば、台風や豪雨により、河川や海岸の堤防・護岸が被災し、ダンプトラックやブームの短いクレーン等の建設機械が、この被災現場に近づけないような悪条件においても、長いブームを有するクレーンやヘリコプターにより、投入個所に作業員を配置することなく、迅速かつ安全、確実に応急復旧用資材としてコンクリートブロックや内部に石材または砂を充填した鉄線カゴや袋詰材を繰り返し投入することができ、住民の生命、財産の保全を図ることに寄与することができる。
【考案を実施するための最良の形態】
【０００９】
図１は本考案に係る堤防・護岸の応急復旧用資材の投入器具（以下単に投入器具という）Ａの一例を示すもので、図中１は本体であり、この本体１は底板２と周壁３とからなる上方を開放した箱形で、かつこれの周壁３の一部が開放部４にて開放された形状になっている。この実施の形態では、平面形状が四角形になっていて、これの一辺が開放部４となっている。
【００１０】
上記本体１の周壁３の上端で、開放部４と対応する奥側の周壁と、両側の周壁のそれぞれに吊金具５ａ，５ｂ，５ｂが固着されている。上記奥側の吊金具５ａは本体１の幅方向中央に、また両側の吊金具５ｂ，５ｂは、本体１の奥行きをＤとしたときに、一例として奥側の吊金具５ａから２／３Ｄの位置に設けられている。
【００１１】
上記各吊金具５ａ，５ｂ，５ｂのそれぞれにはワイヤロープ６ａ，６ｂ，６ｂが連結してある。そして奥側の吊金具５ａに連結したワイヤロープ６ａの先端には１つの吊環７ａが、また両側の各吊金具５ｂ，５ｂは同一長さになっており、それぞれの先端は１つの吊環７ｂにまとめて連結されている。
【００１２】
上記のように構成された投入器具Ａは、例えば図２に示すように、長いブームを備えた移動式のクレーン８のブーム９の先端に吊り下げて用いられる。
【００１３】
このときのクレーン８には、それぞれ別々に巻き上げられるようにした２本の巻き上げロープ１０ａ，１０ｂを用い、その一方の巻き上げロープ１０ａの先端に、例えば上記投入器具Ａの奥側の吊金具５ａに連結した１本のワイヤロープ６ａの先端に連結した吊環７ａを連結し、他方の巻き上げロープ１０ｂの先端に投入器具Ａの両側の吊金具５ｂ，５ｂに連結した２本のワイヤロープ６ｂ，６ｂの先端に連結した吊環７ｂを連結する。
【００１４】
次に上記構成の投入器具Ａの使用状態を説明する。図２に示したクレーン８のブーム９を岸側に旋回すると共に、両巻き上げロープ１０ａ，１０ｂを繰り出し、あるいは／及びブーム９を倒伏して投入器具を地上に降ろし、これの本体１内に応急復旧資材であるコンクリートブロック１１を入れる。その後、両巻き上げロープ１０ａ，１０ｂの巻き上げあるいは／及びブーム９を上方へ起して投入器具Ａを吊り上げる。このとき、本体１内のコンクリートブロック１１が開放部４から落下するのを防止するために、クレーン８の両巻き上げロープ１０ａ，１０ｂの相対巻き上げ長さを変えて投入器具Ａの本体１の姿勢を図３に示すように開放部４が少し高くなるようにする。
【００１５】
ついでブーム９を起伏及び旋回すると共に必要に応じてクレーン８を移動及びブーム９を伸長して、上記投入器具Ａを応急復旧個所の上方に移動すると共に所定の高さに降ろす。
【００１６】
このようになった状態でクレーン８の２本の巻き上げロープ１０ａ，１０ｂの長さを操作して、例えば投入器具Ａの奥側の吊金具５ａを上昇させるか、両側の吊金具５ｂ，５ｂを下げて、投入器具Ａの本体１を図４に示すように、これの開放部４が低くなるように傾斜させる。
【００１７】
かくすることにより、本体１内のコンクリートブロック１１が本体１より滑り落ちて上記応急復旧個所に投入される。
【００１８】
このときにおいて、クレーン８にて吊り下げられた投入器具Ａをクレーン８の巻き上げロープ１０ａ，１０ｂの操作で傾動することにより、この投入器具Ａの姿勢が制御されて、作業員によることなくこの投入器具Ａ内のコンクリートブロック１１を投入することができる。このことにより、上記投入地点に作業員を配置する必要はない。
【００１９】
上記実施の形態では投入器具Ａの本体１の平面形状を四角形にした例を示したが、これは図５（ａ），（ｂ）に示した投入器具Ａ１，Ａ２のように開口部４に対して半円形にしてもよく、また三角形であってもよい。また、吊金具の数も３個に限るものではなく、強度上必要であれば奥側及び両側ともに複数ずつ設けてもよい。
【００２０】
この投入器具Ａの使用状態の説明において、上記実施の形態ではブーム９が長い移動式のクレーン８を用いた例を示したが、このクレーン８でも届かない被災個所の場合はヘリコプターを用いてもよい。
【００２１】
この場合は、ヘリコプターの機上にて奥側の吊金具５ａに連結したワイヤロープ６ａと両側の吊金具６ｂ，６ｂとの吊り下げ長さを操作して上記クレーン８の場合と同様の作業を行う。
【００２２】
さらに上記した各投入器具Ａ，Ａ１，Ａ２は鉄板にて構成されるものであるが、底板２あるいは底板２と周壁３をパンチメタルあるいは所定の剛性を有する網体であってもよい。
【００２３】
また周壁３に設けられる吊金具５ａ，５ｂ，５ｂは、必ずしも周壁３の上端でなくてもよく、周壁３の上端部の側面であってもよい。
【００２４】
さらに各吊金具５ａ，５ｂ，５ｂに連結するワイヤロープ６ａ，６ｂ，６ｂの先端部は吊環によることなく、クレーンやヘリコプター等の吊り上げ機側の吊り下げ機材に直接連結するようにしてもよい。
【図面の簡単な説明】
【００２５】
【図１】本考案に係る投入器具の一例を示す斜視図である。
【図２】ブームの長いクレーンを用いた使用状態を示す説明図である。
【図３】開放部を上方へ向けた傾斜状態の投入器具を示す作用説明図である。
【図４】開放部を下方へ向けた傾斜状態の投入器具を示す作用説明図である。
【図５】（ａ），（ｂ）は本体形状の他例を示す平面図である。
【符号の説明】
【００２６】
Ａ…投入器具、１…本体、２…底板、３…周壁、４…開放部、５ａ，５ｂ，５ｂ…吊金具、６ａ，６ｂ，６ｂ…ワイヤロープ、７ａ，７ｂ…吊環、８…クレーン、９…ブーム、１０ａ、１０ｂ…巻き上げロープ、１１…コンクリートブロック。
【図１】
0003139525.tif 000003
【図２】
0003139525.tif 000004
【図３】
0003139525.tif 000005
【図４】
0003139525.tif 000006
【図５】
0003139525.tif 000007